(57)【特許請求の範囲】
【請求項１】
少なくとも１台の画像供給装置と、当該少なくとも１台の画像供給装置からネットワークを介して送信される画像情報に基づく受信画像を表示する表示装置とを含む表示システムにおいて、
前記表示装置は、
複数の個別領域に区分された区分画像を生成する画像生成部と、
前記区分画像を表示する表示部と、
前記画像供給装置から前記画像情報および接続要求情報を受信する受信部と、
前記接続要求情報に基づき、接続を許可するかどうかを決定する判定部と、
を含み、
前記区分画像は、前記複数の個別領域のうちのいずれかの個別領域と対応付けられた領域に、前記画像供給装置が前記表示装置に接続するための接続情報を示す個別接続画像を含み、
前記画像供給装置は、
前記区分画像における前記個別領域と対応付けられた領域を含む領域を撮像して撮像情報を生成する撮像部と、
当該撮像情報に含まれる前記接続情報に基づき、前記表示装置への接続要求を示す前記接続要求情報を生成する情報生成部と、
前記接続要求情報および前記画像情報を前記表示装置へ向け送信する送信部と、
を含み、
前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成するとともに、前記個別接続画像として、前記接続情報と、当該個別接続画像と対応付けられた前記個別領域を示す領域情報とを含む画像を生成し、
前記情報生成部は、前記撮像情報に含まれる前記接続情報および前記領域情報に基づき、前記接続要求情報として、前記接続要求および前記個別領域を示す情報を生成することを特徴とする表示システム。
【請求項２】
請求項１に記載の表示システムにおいて、
前記画像生成部は、前記接続要求情報に含まれる前記個別領域を示す情報に基づき、当該個別領域に当該接続要求情報の送信元の前記画像供給装置からの前記画像情報に基づく前記受信画像を生成することを特徴とする表示システム。
【請求項３】
請求項１、２のいずれかに記載の表示システムにおいて、
前記個別領域が使用中かどうかを示す領域管理データを更新する更新部を含み、
前記判定部は、前記接続要求情報と、前記領域管理データとに基づき、前記接続要求情報で示される前記個別領域が使用中でない場合に当該接続要求情報の送信元の前記画像供給装置との接続を許可し、当該個別領域が使用中である場合に当該画像供給装置との接続を拒否することを特徴とする表示システム。
【請求項４】
少なくとも１台の画像供給装置と、当該少なくとも１台の画像供給装置からネットワークを介して送信される画像情報に基づく受信画像を表示する表示装置とを含む表示システムにおいて、
前記表示装置は、
複数の個別領域に区分された区分画像を生成する画像生成部と、
前記区分画像を表示する表示部と、
前記画像供給装置から前記画像情報および接続要求情報を受信する受信部と、
前記接続要求情報に基づき、接続を許可するかどうかを決定する判定部と、
を含み、
前記区分画像は、前記複数の個別領域のうちのいずれかの個別領域と対応付けられた領域に、前記画像供給装置が前記表示装置に接続するための接続情報を示すとともに、それぞれ異なる個別領域と対応付けられた複数の個別接続画像を含み、
前記画像供給装置は、
前記区分画像における前記個別領域と対応付けられた領域を含む領域を撮像して撮像情報を生成する撮像部と、
当該撮像情報に含まれる前記接続情報に基づき、前記表示装置への接続要求を示す前記接続要求情報を生成する情報生成部と、
前記接続要求情報および前記画像情報を前記表示装置へ向け送信する送信部と、
前記撮像情報に基づき、前記所望の個別接続画像を識別することにより、当該個別接続画像で示される前記接続情報を識別する識別部と、
を含み、
前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成するとともに、前記区分画像として、複数の前記個別接続画像のうち、所望の個別接続画像を他の個別接続画像とは異なる表示方式で示す画像を生成し、
前記情報生成部は、前記識別部によって識別された前記接続情報に基づき、前記接続要求情報を生成することを特徴とする表示システム。
【請求項５】
少なくとも１台の画像供給装置と、当該少なくとも１台の画像供給装置からネットワークを介して送信される画像情報に基づく受信画像を表示する表示装置とを含む表示システムにおいて、
前記表示装置は、
複数の個別領域に区分された区分画像を生成する画像生成部と、
前記区分画像を表示する表示部と、
前記画像供給装置から前記画像情報および接続要求情報を受信する受信部と、
前記接続要求情報に基づき、接続を許可するかどうかを決定する判定部と、
を含み、
前記区分画像は、前記複数の個別領域のうちのいずれかの個別領域と対応付けられた領域に、前記画像供給装置が前記表示装置に接続するための接続情報を示すとともに、それぞれ異なる個別領域と対応付けられた複数の個別接続画像を含み、
前記画像供給装置は、
前記区分画像における前記個別領域と対応付けられた領域を含む領域を撮像して撮像情報を生成する撮像部と、
当該撮像情報に含まれる前記接続情報に基づき、前記表示装置への接続要求を示す前記接続要求情報を生成する情報生成部と、
前記接続要求情報および前記画像情報を前記表示装置へ向け送信する送信部と、
前記撮像情報に基づき、指示光投射部による指示光の投射された個別接続画像を識別することにより、当該個別接続画像で示される前記接続情報を識別する識別部と、
を含み、
前記情報生成部は、当該識別部によって識別された前記接続情報に基づき、前記接続要求情報を生成し、
前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成することを特徴とする表示システム。
【請求項６】
請求項１〜５のいずれかに記載の表示システムにおいて、
前記画像情報は、画像の解像度を示す解像度情報と、画像の内容を示すコンテンツ情報とを含み、
前記画像生成部は、前記解像度情報と、前記コンテンツ情報とに基づき、前記個別領域の解像度に適合した解像度に調整した前記受信画像を前記個別領域に生成することを特徴とする表示システム。
【請求項７】
通信機能および撮像機能を有する少なくとも１台の画像供給装置からネットワークを介して送信される画像情報に基づく受信画像を表示する表示装置において、
複数の個別領域に区分された区分画像を生成する画像生成部と、
前記区分画像を表示する表示部と、
前記画像供給装置から前記画像情報および接続要求情報を受信する受信部と、
前記接続要求情報に基づき、接続を許可するかどうかを決定する判定部と、
を含み、
前記区分画像は、前記複数の個別領域のうちのいずれかの個別領域と対応付けられた領域に、前記画像供給装置が前記個別領域と対応付けられた領域を含む領域を撮像することによって前記表示装置に接続するための接続情報を示す個別接続画像を含み、
前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成するとともに、前記個別接続画像として、前記接続情報と、当該個別接続画像と対応付けられた前記個別領域を示す領域情報とを含む画像を生成することを特徴とする表示装置。
【請求項８】
請求項７に記載の表示装置において、
前記画像生成部は、前記画像供給装置によって撮像情報に含まれる前記接続情報および前記領域情報に基づいて生成された前記接続要求情報に含まれる前記個別領域を示す情報に基づき、当該個別領域に当該接続要求情報の送信元の前記画像供給装置からの前記画像情報に基づく前記受信画像を生成することを特徴とする表示装置。
【請求項９】
請求項７、８のいずれかに記載の表示装置において、
前記個別領域が使用中かどうかを示す領域管理データを更新する更新部を含み、
前記判定部は、前記接続要求情報と、前記領域管理データとに基づき、前記接続要求情報で示される前記個別領域が使用中でない場合に当該接続要求情報の送信元の前記画像供給装置との接続を許可し、当該個別領域が使用中である場合に当該画像供給装置との接続を拒否することを特徴とする表示装置。
【請求項１０】
通信機能および撮像機能を有する少なくとも１台の画像供給装置からネットワークを介して送信される画像情報に基づく受信画像を表示する表示装置において、
複数の個別領域に区分された区分画像を生成する画像生成部と、
前記区分画像を表示する表示部と、
前記画像供給装置から前記画像情報および接続要求情報を受信する受信部と、
前記接続要求情報に基づき、接続を許可するかどうかを決定する判定部と、
を含み、
前記区分画像は、前記複数の個別領域のうちのいずれかの個別領域と対応付けられた領域に、前記画像供給装置が前記個別領域と対応付けられた領域を含む領域を撮像することによって前記表示装置に接続するための接続情報を示す個別接続画像を含み、かつ、それぞれ異なる個別領域と対応付けられた複数の個別接続画像を含み、
前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成するとともに、前記区分画像として、複数の前記個別接続画像のうち、所望の個別接続画像を他の個別接続画像とは異なる表示方式で示す画像を生成することを特徴とする表示装置。
【請求項１１】
請求項７〜１０のいずれかに記載の表示装置において、
前記画像情報は、画像の解像度を示す解像度情報と、画像の内容を示すコンテンツ情報とを含み、
前記画像生成部は、前記解像度情報と、前記コンテンツ情報とに基づき、前記個別領域の解像度に適合した解像度に調整した前記受信画像を前記個別領域に生成することを特徴とする表示装置。
【発明の詳細な説明】
【技術分野】
【０００１】
本発明は、表示システムおよび表示装置に関する。
【背景技術】
【０００２】
近年、ネットワークを介してＰＣ(Personal Computer)等の画像供給装置からプロジェクタ等の表示装置に画像情報を供給して画像を表示する場合も増えてきている。例えば、特開２００４−１３３３５４号公報では、表示装置が、１画像を複数の領域に区分して各領域に複数の端末からの画像情報に基づく画像を表示することが記載されている。
【０００３】
しかし、特開２００４−１３３３５４号公報の手法では、端末ごとにコネクションを確立し、端末ごとに送信要求、送信停止要求を行う必要がある。また、一般的にネットワーク接続を行う場合、セキュリティーを確保するため、パスワードやＥＳＳＩＤ(Extended Service Set Identifier)等の識別情報を用いて接続を確立する必要がある。このような場合、ユーザーは、識別情報を入力しなければならず、プレゼンテーションや会議が行われる場合のように、不特定多数の画像供給装置が表示装置に接続される場合には多大な手間がかかり、実用的ではない。
【０００４】
このような接続の制限や接続の手間の問題を解決する手法として、例えば、特開２００２−３５１７６３号公報の手法のように、各端末が表示された２次元バーコード等をペンスキャナやＣＣＤカメラ等で読み取ることによって接続を確立する手法が考えられる。また、特開２００４−１３３３５４号公報の手法および特開２００２−３５１７６３号公報の手法を組み合わせることにより、各端末が２次元バーコードを撮像して表示装置に接続し、表示装置が各端末からの画像情報に基づく画像を、１つの画像内の各端末に割り当てた個別の領域に表示する手法が考えられる。
【特許文献１】特開２００４−１３３３５４号公報
【特許文献２】特開２００２−３５１７６３号公報
【発明の開示】
【発明が解決しようとする課題】
【０００５】
しかし、この手法の場合、表示装置によって内部的に個別の領域が割り当てられるため、どの端末がどの領域に割り当てられるのかユーザーが把握することは困難である。また、この手法の場合、使用状況に応じてユーザーが所望の領域に所望の端末の画像を表示することも困難である。
【０００６】
本発明の目的は、少なくとも１台の画像供給装置と表示装置とが接続されて１つの画像内の複数の領域のいずれかに画像供給装置からの画像が表示される際に、容易かつセキュリティーの確保された接続を行うことができ、かつ、どの領域に画像が表示されるかを提示することが可能な表示システムおよび表示装置を提供することにある。
【課題を解決するための手段】
【０００７】
上記課題を解決するため、本発明に係る表示システムは、少なくとも１台の画像供給装置と、当該少なくとも１台の画像供給装置からネットワークを介して送信される画像情報に基づく受信画像を表示する表示装置とを含む表示システムにおいて、前記表示装置は、複数の個別領域に区分された区分画像を生成する画像生成部と、前記区分画像を表示する表示部と、前記画像供給装置から前記画像情報および接続要求情報を受信する受信部と、前記接続要求情報に基づき、接続を許可するかどうかを決定する判定部と、を含み、前記区分画像は、前記複数の個別領域のうちのいずれかの個別領域と対応付けられた領域に、前記画像供給装置が前記表示装置に接続するための接続情報を示す個別接続画像を含み、前記画像供給装置は、前記区分画像における前記個別領域と対応付けられた領域を含む領域を撮像して撮像情報を生成する撮像部と、当該撮像情報に含まれる前記接続情報に基づき、前記表示装置への接続要求を示す前記接続要求情報を生成する情報生成部と、前記接続要求情報および前記画像情報を前記表示装置へ向け送信する送信部と、を含み、前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成することを特徴とする。
【０００８】
また、本発明に係る表示装置は、少なくとも１台の画像供給装置からネットワークを介して送信される画像情報に基づく受信画像を表示する表示装置において、複数の個別領域に区分された区分画像を生成する画像生成部と、前記区分画像を表示する表示部と、前記画像供給装置から前記画像情報および接続要求情報を受信する受信部と、前記接続要求情報に基づき、接続を許可するかどうかを決定する判定部と、を含み、前記区分画像は、前記複数の個別領域のうちのいずれかの個別領域と対応付けられた領域に、前記画像供給装置が前記表示装置に接続するための接続情報を示す個別接続画像を含み、前記画像供給装置は、前記区分画像における前記個別領域と対応付けられた領域を含む領域を撮像して撮像情報を生成する撮像部と、当該撮像情報に含まれる前記接続情報に基づき、前記表示装置への接続要求を示す前記接続要求情報を生成する情報生成部と、前記接続要求情報および前記画像情報を前記表示装置へ向け送信する送信部と、を含み、前記画像生成部は、前記判定部によって前記接続要求情報の送信元の前記画像供給装置との接続が許可された場合、前記個別領域に当該画像供給装置からの前記画像情報に基づく前記受信画像を含む前記区分画像を生成することを特徴とする。
【０００９】
また、本発明に係る表示方法は、少なくとも１台の画像供給装置と、当該少なくとも１台の画像供給装置からネットワークを介して送信される画像情報に基づく受信画像を表示する表示装置とを用いた表示方法において、前記表示装置は、複数の個別領域に区分された区分画像を生成する画像生成部と、前記区分画像を表示する表示部と、前記画像供給装置から前記画像情報および接続要求情報を受信する受信部と、を含み、前記画像供給装置は、撮像部と、情報生成部と、前記接続要求情報および前記画像情報を前記表示装置へ向け送信する送信部と、を含み、前記画像生成部は、前記複数の個別領域のうちのいずれかの個別領域と対応付けられた領域に、前記画像供給装置が前記表示装置に接続するための接続情報を示す個別接続画像を含む前記区分画像を生成し、前記表示部は、当該区分画像を表示し、前記撮像部は、前記個別領域と対応付けられた領域を含む領域を撮像して撮像情報を生成し、前記情報生成部は、当該撮像情報に含まれる前記接続情報に基づき、前記表示装置への接続要求を示す前記接続要求情報を生成し、前記送信部は、前記接続要求情報を前記表示装置へ向け送信し、前記受信部は、前記接続要求情報を受信し、前記情報生成部は、前記画像情報を生成し、前記送信部は、前記画像情報を前記表示装置へ向け送信し、前記受信部は、前記画像情報を受信し、前記画像生成部は、前記個別領域に前記画像情報に基づく前記受信画像を含む前記区分画像を生成し、前記表示部は、当該区分画像を表示することを特徴とする。
【００１０】
本発明によれば、表示システム等は、接続情報を撮像することによって接続要求情報を生成し、当該接続要求情報を送受信することにより、容易かつセキュリティーの確保された接続を行うことができる。また、本発明によれば、表示システム等は、個別領域と対応付けられた領域に個別接続画像を表示することにより、どの領域に画像が表示されるかをわかりやすく提示することができる。
【００１１】
また、前記画像生成部は、前記個別接続画像として、前記接続情報と、当該個別接続画像と対応付けられた前記個別領域を示す領域情報とを含む画像を生成し、前記情報生成部は、前記撮像情報に含まれる前記接続情報および前記領域情報に基づき、前記接続要求情報として、前記接続要求および前記個別領域を示す情報を生成してもよい。
【００１２】
これによれば、表示システム等は、接続要求情報に個別領域を示す情報が含まれるため、どの個別領域への表示要求であるかを判定することができる。
【００１３】
また、前記画像生成部は、前記接続要求情報に含まれる前記個別領域を示す情報に基づき、当該個別領域に当該接続要求情報の送信元の前記画像供給装置からの前記画像情報に基づく前記受信画像を生成してもよい。
【００１４】
これによれば、表示システム等は、要求に応じた個別領域に送信元の画像供給装置からの画像情報に基づく受信画像を表示することができる。
【００１５】
また、前記個別領域が使用中かどうかを示す領域管理データを更新する更新部を含み、前記判定部は、前記接続要求情報と、前記領域管理データとに基づき、前記接続要求情報で示される前記個別領域が使用中でない場合に当該接続要求情報の送信元の前記画像供給装置との接続を許可し、当該個別領域が使用中である場合に当該画像供給装置との接続を拒否してもよい。
【００１６】
これによれば、表示システム等は、複数の個別領域に画像を表示する場合であっても、領域管理データを用いて適切に表示の制御を行うことができる。
【００１７】
また、前記区分画像は、それぞれ異なる個別領域と対応付けられた複数の前記個別接続画像を含み、前記画像生成部は、前記区分画像として、複数の前記個別接続画像のうち、所望の個別接続画像を他の個別接続画像とは異なる表示方式で示す画像を生成し、前記画像供給装置は、前記撮像情報に基づき、前記所望の個別接続画像を識別することにより、当該個別接続画像で示される前記接続情報を識別する識別部を含み、前記情報生成部は、当該識別部によって識別された前記接続情報に基づき、前記接続要求情報を生成してもよい。
【００１８】
これによれば、表示システム等は、複数の個別接続画像を表示することによって撮像画像に複数の個別接続画像が含まれる場合であっても、所望の接続情報を識別することにより、所望の個別領域に画像を表示することができる。
【００１９】
また、前記区分画像は、それぞれ異なる個別領域と対応付けられた複数の前記個別接続画像を含み、前記画像供給装置は、前記撮像情報に基づき、指示光投射部による指示光の投射された個別接続画像を識別することにより、当該個別接続画像で示される前記接続情報を識別する識別部を含み、前記情報生成部は、当該識別部によって識別された前記接続情報に基づき、前記接続要求情報を生成してもよい。
【００２０】
これによれば、表示システム等は、複数の個別接続画像を表示することによって撮像画像に複数の個別接続画像が含まれる場合であっても、所望の接続情報を識別することにより、所望の個別領域に画像を表示することができる。特に、これによれば、ユーザーが、自分の所望の個別領域を指示光で指示することができる。
【００２１】
また、前記画像情報は、画像の解像度を示す解像度情報と、画像の内容を示すコンテンツ情報とを含み、前記画像生成部は、前記解像度情報と、前記コンテンツ情報とに基づき、前記個別領域の解像度に適合した解像度に調整した前記受信画像を前記個別領域に生成してもよい。
【００２２】
これによれば、表示システム等は、個別領域の解像度と受信した画像の解像度とが異なっている場合であっても、適切な解像度で受信画像を表示することができる。
【発明を実施するための最良の形態】
【００２３】
以下、本発明を表示システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２４】
（第１の実施例）
図１は、第１の実施例における表示システム１０の全体図である。表示システム１０は、表示装置の一種であるプロジェクタ１００と、画像供給装置の一種である携帯電話２００とを含んで構成されている。プロジェクタ１００は、複数の携帯電話２００−１〜２００−４と無線通信路（有線通信路でもよい。）を介して接続を確立することが可能であり、少なくとも１台の携帯電話２００からの画像情報に基づいてスクリーン２０に画像３０を投写する。例えば、会議が行われる場合、４人の参加者がそれぞれ携帯電話２００を用いて画像情報をプロジェクタ１００に送信して画像３０を投写する。
【００２５】
次に、表示システム１０を構成するプロジェクタ１００および携帯電話２００の機能ブロックについて説明する。図２は、第１の実施例における表示システム１０の機能ブロック図である。
【００２６】
携帯電話２００は、スクリーン２０に投写された画像３０の少なくとも一部を撮像して撮像情報を生成する撮像部２４０と、撮像情報に含まれる所定の情報を識別する識別部２５０と、接続要求情報、画像情報等を生成する情報生成部２１０と、プロジェクタ１００と種々の情報を送受信する通信部（送信部）２９０とを含んで構成されている。また、携帯電話２００は、表示対象の画像データ２２２等を記憶する記憶部２２０と、操作部２３０と、表示部２６０とを含んで構成されている。
【００２７】
また、プロジェクタ１００は、種々の処理を実行する処理部１１０と、種々のデータやプログラムを記憶する記憶部１２０と、種々の画像を投写する投写部（表示部）１３０と、操作部１４０と、携帯電話２００と種々の情報を送受信する通信部（受信部）１９０とを含んで構成されている。
【００２８】
また、処理部１１０は、種々の判定を行う判定部１１２と、種々の画像を生成する画像生成部１１４と、記憶部１２０内のデータを更新する更新部１１６とを含んで構成されている。また、記憶部１２０は、接続情報の一種である２次元コードのデータ等を示す画像データ１２２、後述する区分画像の個別領域を管理するための領域管理データ１２４等を記憶している。
【００２９】
なお、これらの各部の機能を実装するためのハードウェアとしては、例えば、以下のハードウェアが採用されてもよい。例えば、操作部１４０、２３０としてはボタン等、通信部１９０、２９０としては無線通信ユニット等、処理部１１０、情報生成部２１０、識別部２５０としてはＣＰＵ、画像処理回路等、記憶部１２０、２２０としてはＲＡＭ等、投写部１３０としては液晶パネル、ランプ、レンズ等、表示部２６０としては液晶ディスプレイ等が採用されてもよい。
【００３０】
次に、これらの各部を用いた接続時の処理の流れについて説明する。図３は、第１の実施例における接続時の処理の流れを示すフローチャートである。画像生成部１１４は、ユーザーの表示指示による操作部１４０からの操作情報に応じて、画像データ１２２、領域管理データ１２４に基づき、複数の個別領域に区分された区分画像を生成し（ステップＰ１）、投写部１３０は、区分画像を投写する（ステップＰ２）。
【００３１】
図４は、第１の実施例における個別接続画像３２０を含む区分画像３００の一例を示す図である。区分画像３００は、４つの個別領域３１０−１〜３１０−４を含む。各個別領域３１０には個別接続画像３２０が表示される。個別接続画像３２０は、携帯電話２００がプロジェクタ１００に接続するための接続情報（例えば、ＩＰアドレス等の接続先を示す情報、パスワード等の認証情報等）と、当該個別接続画像３２０と対応付けられた個別領域３１０を示す領域情報が２次元コード化された画像である。なお、この２次元コード化された画像は画像データ１２２の一部として記憶部１２０に記憶されている。
【００３２】
また、区分画像３００は、所望の個別接続画像３２０を示す枠画像３３０を含む。例えば、図４に示す例では、左上にある個別接続画像３２０−１が枠画像３３０によって太い黒枠で囲まれている。
【００３３】
いずれかの携帯電話２００のユーザーは、操作部２３０を操作してスクリーン２０に投写された区分画像３００のうち、少なくとも１つの個別領域３１０を含む領域を撮像する（ステップＴ１）。具体的には、撮像部２４０は、操作部２３０からの撮像指示情報に応じて撮像し、撮像情報を生成する。
【００３４】
図５は、第１の実施例における撮像画像４００の一例を示す図である。例えば、図５に示す撮像画像４００には、個別領域３１０−１、３１０−３の全体と、個別領域３１０−２、３１０−４の一部が含まれている。
【００３５】
識別部２５０は、撮像部２４０からの撮像情報に基づき、所望の個別接続画像３２０−１を識別する（ステップＴ２）。例えば、図５に示す例では、識別部２５０は、エッジ検出等の手法を用いて枠画像３３０の黒枠を検出し、当該黒枠内の個別接続画像３２０−１を識別する。
【００３６】
情報生成部２１０は、識別部２５０からの識別情報（個別接続画像３２０−１を示す情報）に基づき、接続要求情報を生成する（ステップＴ３）。具体的には、例えば、情報生成部２１０は、２次元コード化された個別接続画像３２０−１を、一般的な変換アルゴリズムを用いて元の接続情報および領域情報に変換し、接続先のプロジェクタ１００を示す接続情報と、表示対象領域を示す領域情報と、送信元の携帯電話２００を示す情報を含む接続要求情報を生成する。
【００３７】
通信部２９０は、情報生成部２１０からの接続要求情報をプロジェクタ１００へ向け送信する（ステップＴ４）。通信部１９０は、当該接続要求情報を受信したかどうかを判定する（ステップＰ３）。
【００３８】
判定部１１２は、当該接続要求情報が受信された場合、接続要求情報と、領域管理データ１２４に基づき、接続を許可するかどうかを決定する（ステップＰ４）。なお、領域管理データ１２４は、各個別領域３１０−１〜３１０−４がいずれかの携帯電話２００に割り当てられているかどうか（使用中かどうか）を示すデータである。例えば、初期状態では、各個別領域３１０はいずれも携帯電話２００に割り当てられていないため、接続は許可される。
【００３９】
接続が許可された場合、更新部１１６は、接続要求情報に基づき、領域管理データ１２４を更新する（ステップＰ５）。例えば、接続要求情報に含まれる領域情報が個別領域３１０−１を示し、送信元の携帯電話２００を示す情報が携帯電話２００−１を示す場合、更新部１１６は、領域管理データ１２４における個別領域３１０−１が携帯電話２００−１（携帯電話２００のＩＰアドレス等であってもよい。）に割り当てられていることを示すように、領域管理データ１２４を更新する。そして、通信部１９０は、接続要求情報に含まれる送信元の携帯電話２００を示す情報に基づき、送信元の携帯電話２００との接続を確立する（ステップＰ６）。
【００４０】
一方、接続が許可されなかった場合、通信部１９０は、接続できないことを示す情報を、接続要求情報の送信元の携帯電話２００へ向け送信する（ステップＰ７）。通信部２９０は、当該情報を受信したかどうかを判定し（ステップＴ５）、当該情報を受信した場合は接続要求情報の送信を停止する。また、この場合、情報生成部２１０は、通信部２９０によって受信された当該情報に基づき、画像情報を生成し、表示部２６０は、当該画像情報に基づき、「他の携帯電話によって使用されているため、接続できません。」といった文字列を示す画像を表示する（ステップＴ６）。
【００４１】
プロジェクタ１００および携帯電話２００は以上の手順を繰り返すことにより、個別領域３１０分の接続を確立する。なお、この場合、画像生成部１１４は、領域管理データ１２４に基づき、未接続の個別領域３１０があると判断した場合、枠画像３３０を未接続の個別領域３１０に移動させた区分画像３００を生成する。
【００４２】
次に、受信画像投写時の処理の流れについて説明する。図６は、第１の実施例における受信画像投写時の処理の流れを示すフローチャートである。
【００４３】
プロジェクタ１００と接続を確立した携帯電話２００の情報生成部２１０は、接続情報と、画像データ２２２に基づき、画像情報を生成する（ステップＴ１１）。なお、画像データ２２２は、静止画像データであってもよいし、動画像データであってもよい。
【００４４】
通信部２９０は、情報生成部２１０からの画像情報をプロジェクタ１００へ向け送信する（ステップＴ１２）。なお、画像情報には、例えば、画像の内容を示すコンテンツ情報、送信先情報、送信元情報が含まれる。
【００４５】
通信部１９０は、携帯電話２００からの画像情報を受信する（ステップＰ１１）。判定部１１２は、画像情報と、領域管理データ１２４に基づき、当該画像情報の送信元の携帯電話２００が適切な携帯電話２００であることを判定し、当該携帯電話２００に割り当てられた個別領域３１０を決定する（ステップＰ１２）。
【００４６】
画像生成部１１４は、決定された個別領域３１０に携帯電話２００からのコンテンツ情報に基づく受信画像を表示する区分画像を生成し（ステップＰ１３）、投写部１３０は、当該区分画像を投写する（ステップＰ１４）。
【００４７】
図７は、第１の実施例における受信画像３４０を含む区分画像３０１の一例を示す図である。例えば、図７に示すように、接続が確立された携帯電話２００−１に個別領域３１０−１が割り当てられている場合、個別領域３１０−１に携帯電話２００−１からの画像情報に基づく受信画像３４０が表示される。プロジェクタ１００および携帯電話２００は、以上の手順を繰り返すことにより、４つの個別領域３１０のすべてに受信画像３４０を表示することができる。
【００４８】
以上のように、本実施例によれば、表示システム１０は、個別接続画像３２０を撮像することによって接続要求情報を生成し、当該接続要求情報を送受信することにより、容易かつセキュリティーの確保された接続を行うことができる。また、本実施例によれば、表示システム１０は、個別領域３１０内に個別接続画像３２０を表示することにより、どの領域に画像が表示されるかをわかりやすく提示することができる。
【００４９】
また、本実施例によれば、表示システム１０は、各個別領域３１０と各携帯電話２００とを対応付けることにより、各個別領域３１０に受信画像３４０を表示することができる。また、本実施例によれば、表示システム１０は、領域管理データ１２４を用いることにより、複数の個別領域３１０に画像を表示する場合であっても適切に表示の制御を行うことができる。
【００５０】
さらに、本実施例によれば、表示システム１０は、複数の個別接続画像３２０を表示することによって撮像画像４００に複数の個別接続画像３２０が含まれる場合であっても、所望の接続情報を識別することにより、所望の個別領域３１０に画像を表示することができる。例えば、携帯電話２００の画面に枠画像を表示して１つの個別接続画像３２０が枠に入るように撮像させる手法も考えられるが、このような手法は、携帯電話２００の位置、方向、カメラのズーム等を調整する必要があり、非常に手間のかかる作業である。これに対し、本実施例の手法によれば、撮像画像４００に複数の個別接続画像３２０が含まれても構わないため、ユーザーの手間を軽減することができる。
【００５１】
（第２の実施例）
次に、指示光を用いて所望の個別領域３１０を指示する実施例について説明する。図８は、第２の実施例における表示システムの全体図である。ユーザーは、指示光投射部の一種であるレーザーポインター４０を用いてスクリーン２０に指示光５０を投射することができる。
【００５２】
図９は、第２の実施例における個別接続画像３２０を含む区分画像３０２の一例を示す図である。例えば、図９に示す例では、スクリーン２０に投写された区分画像３０２のうち、個別領域３１０−１内にレーザーポインター４０によって指示光５０が投射されている。
【００５３】
図１０は、第２の実施例における撮像画像４０１の一例を示す図である。この場合、撮像画像４０１においても、個別領域３１０−１内に指示光５０が含まれている。一般的に、区分画像３０２の輝度値よりは指示光５０の輝度値のほうが高い。このため、識別部２５０は、撮像画像４０１の輝度分布を識別し、高輝度の領域を検出することによって指示光５０を識別することができる。さらに、識別部２５０は、撮像画像４０１内の指示光５０に最も近い個別接続画像３２０を所望の個別接続画像３２０として識別する。以上の手順により、個別接続画像３２０は、第１の実施例と同様に、所望の個別接続画像３２０を識別することができる。
【００５４】
これにより、表示システム１０は、第２の実施例の手法を用いた場合であっても第１の実施例と同様の作用効果を奏する。さらに、本実施例によれば、表示システム１０は、指示光５０を用いることにより、ユーザーの所望する個別領域３１０に受信画像３４０を表示することができる。
【００５５】
特に、本実施例によれば、複数のユーザーがプロジェクタ１００と複数の携帯電話２００を用いて会議等を行う場合に、ユーザーは、自分の所望する個別領域３１０を他のユーザーにも視覚的に分かる方法で指示して受信画像３４０を表示させることができるため、他のユーザーと競合して個別領域３１０を使用することもなく、効率的に会議等を行うことができる。
【００５６】
（第３の実施例）
第１および第２の実施例では、個別領域３１０内に個別接続画像３２０が表示されていたが、個別領域３１０と個別接続画像３２０との対応がわかればよく、個別領域３１０外に個別接続画像３２０が表示されてもよい。
【００５７】
図１１は、第３の実施例における個別接続画像３２１を含む区分画像３０３の一例を示す図である。図１１に示す例では、区分画像３０３の左上、右上、左下、右下に大きさの異なる４つの個別領域３１１−１〜３１１−４が配置され、区分画像３０３の右下部分の左上、右上、左下、右下に４つの個別接続画像３２１−１〜３２１−４が配置され、個別接続画像３２１―１に枠画像３３１が配置されている。なお、個別接続画像３２１−１〜３２１−４は、それぞれ個別領域３１１−１〜３１１−４の領域情報を示す。
【００５８】
この場合、ユーザーは、区分画像３０３の右下部分を、携帯電話２００を用いて撮像することにより、撮像画像４００を得ることができる。また、携帯電話２００から送信される接続要求情報は、個別領域３１１−１〜３１１−４のいずれかの領域情報を示すものであるため、プロジェクタ１００は、どの領域への接続要求であるかを判定することができる。
【００５９】
このように、表示システム１０は、第３の実施例の手法によっても、第１の実施例と同様の作用効果を奏する。特に、本実施例によれば、個別接続画像３２１を表示したまま、個別領域３１１に表示される画像を更新することができるため、より効率的に区分画像３０３を更新することができる。
【００６０】
（その他の実施例）
なお、本発明の適用は上述した実施例に限定されず、種々の変形が可能である。例えば、携帯電話２００がプロジェクタ１００に送信する画像情報には、画像の解像度を示す解像度情報が含まれてもよい。これによれば、図１１に示すように、個別領域３１１の大きさが一定ではない場合であっても、画像生成部１１４は、解像度情報に基づき、個別領域３１１の解像度に合わせてコンテンツ情報を調整することにより、適切な解像度で受信画像３４０を表示することができる。
【００６１】
また、個別接続画像３２０に含まれる接続情報に個別領域３１０の解像度を示す情報が含まれていてもよく、情報生成部２１０が、識別部２５０によって識別された当該解像度を示す情報に基づいて画像データ２２２の解像度を調整して画像情報を生成してもよい。これによれば、プロジェクタ１００は、当該画像情報の解像度を調整することなく、適切な解像度で受信画像３４０を表示することができる。
【００６２】
また、個別接続画像３２０は、２次元バーコードには限定されず、接続情報に変換可能な画像、文字列等の種々の情報を採用可能である。また、個別接続画像３２０を生成するための画像データ１２２は画像生成部１１４によって動的に生成されてもよい。
【００６３】
また、所望の個別接続画像３２０を指示する手法は、枠画像３３０を用いる手法、レーザー光を用いる手法には限定されず、例えば、所望の個別接続画像３２０の色、明るさ、形状等を他の個別接続画像３２０とは変えて表示する手法、赤外光で指示する手法等が採用されてもよい。また、撮像画像４００に複数の個別接続画像３２０が含まれる場合に、撮像画像４００において所望の個別接続画像３２０を選択する手法が採用されてもよい。
【００６４】
また、個別領域３１０と携帯電話２００との対応は１：１であってもよいし、１つの携帯電話２００に対して複数の個別領域３１０が割り当てられてもよい。また、個別領域３１０の個数は４には限定されず、１〜３であってもよいし、５以上であってもよい。また、表示装置の台数は１台には限定されない。例えば、２台のプロジェクタ１００が並列投写する場合であっても本発明を適用可能である。また、画像供給装置の台数は４台には限定されず、１〜３台であってもよいし、５台以上であってもよい。
【００６５】
また、画像供給装置は、携帯電話２００には限定されず、例えば、ＰＣ、携帯型端末、ＤＶＤプレーヤー、セットトップボックス、ゲーム装置、デジタルカメラ、デジタルビデオカメラ等の画像情報を出力可能な種々の装置を採用可能である。また、表示装置は、プロジェクタ１００には限定されず、例えば、テレビ、液晶モニター、携帯電話等の画像を表示可能な種々の装置を採用可能である。
【００６６】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【００６７】
また、上述した実施例では、ユーザーが撮像および指示を行っているが、自動的に撮像および指示を行ってもよい。例えば、デジタルカメラが一定時間ごとにスクリーン２０を撮像してもよく、指示光を投射する指示光投射部が、一定時間ごとに投射方向を変更することにより、スクリーン２０上の指示光５０の位置を一定時間ごとに変更してもよい。また、画像供給装置は、指示光投射部を内蔵してもよい。また、画像供給装置の機能は複数の装置（例えば、デジタルカメラとＰＣ等）に分散して実装されてもよく、表示装置の機能も複数の装置（例えば、ＰＣと液晶モニター等）に分散して実装されてもよい。
【図面の簡単な説明】
【００６８】
【図１】第１の実施例における表示システムの全体図である。
【図２】第１の実施例における表示システムの機能ブロック図である。
【図３】第１の実施例における接続時の処理の流れを示すフローチャートである。
【図４】第１の実施例における個別接続画像を含む区分画像の一例を示す図である。
【図５】第１の実施例における撮像画像の一例を示す図である。
【図６】第１の実施例における受信画像投写時の処理の流れを示すフローチャートである。
【図７】第１の実施例における受信画像を含む区分画像の一例を示す図である。
【図８】第２の実施例における表示システムの全体図である。
【図９】第２の実施例における個別接続画像を含む区分画像の一例を示す図である。
【図１０】第２の実施例における撮像画像の一例を示す図である。
【図１１】第３の実施例における個別接続画像を含む区分画像の一例を示す図である。
【符号の説明】
【００６９】
１０  表示システム、２０  スクリーン、３０  画像、４０  レーザーポインター、５０  指示光、１００  プロジェクタ、１１０  処理部、１１２  判定部、１１４  画像生成部、１１６  更新部、１２０  記憶部、１２２  画像データ、１２４  領域管理データ、１３０  投写部（表示部）、１４０  操作部、１９０  通信部（受信部）、２００  携帯電話、２１０  情報生成部、２２０  記憶部、２２２  画像データ、２３０  操作部、２４０  撮像部、２５０  識別部、２６０  表示部、２９０  通信部（送信部）、３００〜３０３  区分画像、３１０  個別領域、３２０  個別接続画像、３３０  枠画像、３４０  受信画像、４００、４０１  撮像画像
【図１】
0004407841.tif 000002
【図２】
0004407841.tif 000003
【図３】
0004407841.tif 000004
【図４】
0004407841.tif 000005
【図５】
0004407841.tif 000006
【図６】
0004407841.tif 000007
【図７】
0004407841.tif 000008
【図８】
0004407841.tif 000009
【図９】
0004407841.tif 000010
【図１０】
0004407841.tif 000011
【図１１】
0004407841.tif 000012